(57)【要約】【課題】ブレーキドラムにブレーキシューを安定して圧接させ、制動力の低下を抑制することができる二槽式洗濯機を提供する。【解決手段】二槽式洗濯機は、脱水籠の回転に対して制動をかけるための制動手段を備える。制動手段は、脱水モータの回転軸を貫通させるように、当該脱水モータに設けられたブレーキ支持板と、ブレーキドラムにブレーキシューを圧接させる制動位置と前記ブレーキドラムから前記ブレーキシューを離間させる開放位置との間で揺動するように前記ブレーキ支持板に設けられた揺動アームと、前記ブレーキドラムと接触することで、前記ブレーキドラム表面の汚れを除去するクリーナ部とを備える。前記クリーナ部は、前記揺動アームの開放位置への揺動に伴い前記ブレーキドラムから離間するように構成されている。【選択図】図１
2014207932.tif 000002
【特許請求の範囲】
【請求項１】
被脱水物を収容する脱水籠と、
前記脱水籠を回転させる脱水モータと、
前記脱水籠の回転に対して制動をかけるための制動手段と、を備えた二槽式洗濯機において、
前記制動手段は、
前記脱水モータの回転軸又は当該回転軸と前記脱水籠との間に設けられたブレーキドラムと、
前記脱水モータの回転軸を貫通させるように、当該脱水モータに設けられたブレーキ支持板と、
前記ブレーキドラムに対向するブレーキシューを有し、前記ブレーキドラムに前記ブレーキシューを圧接させる制動位置と、前記ブレーキドラムから前記ブレーキシューを離間させる開放位置との間で揺動するように前記ブレーキ支持板に設けられた揺動アームと、
前記ブレーキドラムに接触して当該ブレーキドラム表面の汚れを除去するクリーナ部とを備え、
前記クリーナ部は前記揺動アームに一体的に設けられ、前記揺動アームの開放位置への揺動に伴い前記ブレーキドラムから当該クリーナ部が離間するように構成されていることを特徴とする二槽式洗濯機。
【請求項２】
前記制動手段は、前記揺動アームの制動位置への揺動に伴い、前記ブレーキドラムに対し前記クリーナ部、前記ブレーキシューの順に接触するように構成されていることを特徴とする請求項１記載の二槽式洗濯機。
【請求項３】
前記揺動アームに対して、前記クリーナ部と前記ブレーキシューとが前記ブレーキドラムの周方向へ相互に離間して配置されていることを特徴とする請求項１または２記載の二槽式洗濯機。
【請求項４】
前記ブレーキドラムの周方向と直交する方向を幅方向とした場合、前記クリーナ部の前記幅方向の寸法は、前記ブレーキシューの前記幅方向の寸法よりも大きく設定されていることを特徴とする請求項１から３の何れか一項記載の二槽式洗濯機。
【請求項５】
前記ブレーキ支持板における前記クリーナ部の下側に対応する部位近傍に貫通穴が無い構造としたことを特徴とする請求項１から４の何れか一項記載の二槽式洗濯機。
【発明の詳細な説明】
【技術分野】
【０００１】
本実施形態は、二槽式洗濯機に関する。
【背景技術】
【０００２】
従来より、二槽式洗濯機は、洗濯を行うための洗濯槽と脱水を行うための脱水槽とを左右に並べた配置構成としており、脱水槽内には、洗濯物を収容して脱水するための脱水籠が回転可能に配設されている。また、二槽式洗濯機には、脱水籠の回転に対して制動をかけるためのブレーキドラムとブレーキシューを有する制動装置が設けられている。
【先行技術文献】
【特許文献】
【０００３】
【特許文献１】特開２００４−２４９１２５号公報
【発明の概要】
【発明が解決しようとする課題】
【０００４】
ところで、上記の二槽式洗濯機では、ブレーキドラム表面がブレーキシューの摩耗粉等で汚れると、制動装置の制動力が低下したり、所謂ブレーキの鳴きが発生する。
そこで、ブレーキシューをブレーキドラムに安定して圧接させ、制動力の低下を抑制することができる二槽式洗濯機を提供する。
【課題を解決するための手段】
【０００５】
本実施形態の二槽式洗濯機は、被脱水物を収容する脱水籠と、前記脱水籠を回転させる脱水モータと、前記脱水籠の回転に対して制動をかけるための制動手段と、を備える。前記制動手段は、前記脱水モータの回転軸又は当該回転軸と前記脱水籠との間に設けられたブレーキドラムと、前記脱水モータの回転軸を貫通させるように、当該脱水モータに設けられたブレーキ支持板と、前記ブレーキドラムに対向するブレーキシューを有し、前記ブレーキドラムに前記ブレーキシューを圧接させる制動位置と、前記ブレーキドラムから前記ブレーキシューを離間させる開放位置との間で揺動するように前記ブレーキ支持板に設けられた揺動アームと、前記ブレーキドラムと接触することで、前記ブレーキドラム表面の汚れを除去するクリーナ部とを備え、前記クリーナ部は前記揺動アームに一体的に設けられ、前記揺動アームの開放位置への揺動に伴い前記ブレーキドラムから当該クリーナ部が離間するように構成されている。
【図面の簡単な説明】
【０００６】
【図１】脱水モータと制動手段の平面図であって、制動手段について揺動アームの開放位置を表す図
【図２】二槽式洗濯機の全体構成について裏蓋を取外した状態で示す破断背面図
【図３】制動手段近傍部の背面側からの斜視図
【図４】制動手段のブレーキドラムと揺動アームを取外した状態で示す図１相当図
【図５】制動手段について揺動アームの制動位置を表す図１相当図
【図６】クリーナ部とブレーキシューの夫々の幅寸法を説明するための模式図
【発明を実施するための形態】
【０００７】
以下、本実施形態について、図１から図６を参照して説明する。
図２に示すように、二槽式洗濯機は、外箱１内に洗濯槽２と脱水槽３とを左右に並べて配置し、台板４上に当該外箱１を結合した構成にある。洗濯槽２の内底部には、洗濯槽２内に貯留される水を撹拌することで水流を生成する撹拌体（図示略）が配置されている。脱水槽３の内部には、被脱水物としての洗濯物（図示略）を収容して脱水するための脱水籠５が回転可能に配設されている。脱水籠５の周側部には、洗濯物に含まれる水分を遠心力により振り切るための多数の脱水孔（図示略）が設けられている。また、脱水籠５の外底側中心部には、下方に延びるシャフト５ａが脱水槽３の内底部を貫通するように設けられている。
【０００８】
図示は省略するが、外箱１の上部には、洗濯槽２の上面開口部を開閉する洗濯蓋が着脱可能に設けられるとともに、脱水槽３の上面開口部を開閉する脱水蓋が、その後部を支点に上下方向への回動が可能に設けられている。
【０００９】
外箱１内底部に配置された洗濯モータ６及び脱水モータ７は、台板４に対して並置状態に取付け固定されている。洗濯モータ６は例えばコンデンサモータ（誘導モータ）で構成され、洗濯モータ６の回転軸は、動力伝達機構８を介して前記撹拌体の駆動軸に結合されている。動力伝達機構８は、洗濯モータ６の回転軸に取付けられた駆動プーリ９ａと前記駆動軸に取付けられた従動プーリ９ｂと、これらプーリ９ａ，９ｂ間に掛渡されたベルト１０とを有する減速機構である。こうして、洗濯モータ６は、動力伝達機構８を介して前記撹拌体を低速回転させることにより、洗濯槽２内に収容された洗濯物（図示略）を洗濯水と共に撹拌する水流を生成する。
【００１０】
前記脱水モータ７は例えば誘導モータで構成され、当該モータ７の回転軸１１は、脱水籠５のシャフト５ａに連結されている。これにより、脱水モータ７は、直に脱水籠５を高速回転させることで、脱水籠５内に収容された洗濯物を遠心脱水する。この脱水モータ７と脱水籠５との連結部分の構成、並びに両者５，７の回転に対して制動をかけるための制動手段１５の構成について、図３〜図５も参照しながら説明する。
【００１１】
図３に示すように、制動手段１５は、脱水モータ７の上面部に取付けられるブレーキ支持板１６と、この支持板１６の上方に位置させて前記回転軸１１の先端側に設けられたブレーキドラム１７と、ブレーキ支持板１６に揺動可能に設けられた揺動アーム１８とを備える。
【００１２】
前記脱水モータ７は、台板４上に上向きに取付け固定されている。脱水モータ７のフレーム１９上面部には、図４に破線で示す３つのねじ穴１９ａと、小円柱状の位置決め凸部１９ｂが設けられている。これらねじ穴１９ａ及び位置決め凸部１９ｂは、後述するクリーナ部３０（図５参照）に対して上下方向に重ならないようにモータフレーム１９の周方向へずれた位置に形成されている。
【００１３】
前記ブレーキ支持板１６は、モータフレーム１９上面部を覆う寸法の円盤状をなしている。図４に示すように、ブレーキ支持板１６の中央部には、脱水モータ７の回転軸１１に挿通される中心穴１６ｃが形成されるとともに、前記のねじ穴１９ａと位置決め凸部１９ｂに夫々対応する部位に、３つのねじ挿通穴１６ａと嵌合穴１６ｂとが形成されている。これにより、ブレーキ支持板１６は、中心穴１６ｃに回転軸１１を挿通させてモータフレーム１９上に配置され、嵌合穴１６ｂに位置決め凸部１９ｂが嵌合することで位置決めされる。この位置決め状態で、ねじ挿通穴１６ａからねじ穴１９ａに夫々ねじ２１を螺挿することで、ブレーキ支持板１６が脱水モータ７に取付け固定されている。
【００１４】
ブレーキ支持板１６における外周寄りの部位には、後述する揺動アーム１８用の軸支部２２が設けられている。軸支部２２は、ブレーキ支持板１６において図３に示すように上方へ若干隆起するように形成され、その隆起部分に配設された軸２２ａによって、揺動アーム１８を上面側で支持する。なお、揺動アーム１８は、ブレーキ支持板１６において、前記外箱１の背面開口部１ａ側（図２参照）に臨む位置に配置される（図３参照）。また、ブレーキ支持板１６の周縁部には、軸支部２２から略１８０度離間した位置にばね掛け片２４が屈曲形成されている。
【００１５】
前記ブレーキドラム１７は、例えば鉄などの金属材料からなり、外周部のドラム面２５と中心部の筒部２６とを同心状に有してドラム状をなす。ブレーキドラム１７は、ブレーキ支持板１６の上方に位置し、脱水モータ７の回転軸１１に対して取付けられている。具体的には、回転軸１１の先端部は、その外周面の一部分に平面部１１ａ（図４参照）が形成された所謂Ｄカット形状とされている。ブレーキドラム１７は、筒部２６に回転軸１１が下側から挿通された状態で、筒部２６の径方向に螺挿されたねじ２６ａ（図５参照）により平面部１１ａを係止することで、回転軸１１と一体に回転する。一方、上記した脱水籠５のシャフト５ａも、その先端側に所謂Ｄカットよる平面部（図示略）を有する。図３に示すように、ブレーキドラム１７は、筒部２６にシャフト５ａが上側から挿通された状態で、筒部２６に螺挿された図示しないねじにより、シャフト５ａに対して係止されている。こうして、ブレーキドラム１７の筒部２６はコネクタとして、脱水モータ７の回転軸１１と脱水籠５のシャフト５ａとの連結に供される。
【００１６】
前記揺動アーム１８は、例えば金属板製のもので、全体としてドラム面２５の外周に沿って延びる円弧状をなしている。揺動アーム１８は、その内周部にブレーキシュー２７を備え、基端部においてブレーキ支持板１６の軸２２ａにより揺動可能に支持されている。揺動アーム１８の先端部１８ａとブレーキ支持板１６のばね掛け片２４との間には、スプリング２８が掛け渡されている。スプリング２８は、ブレーキシュー２７をドラム面２５へ圧接させる方向へ付勢する。また、揺動アーム１８の先端部１８ａには、コントロールワイヤ２９が取付けられている。このコントロールワイヤ２９によって、揺動アーム１８を、前記脱水蓋の開閉に連動して揺動させることで、ブレーキシュー２７をブレーキドラム１７に接離させる。こうして、揺動アーム１８は、ブレーキドラム１７にブレーキシュー２７を圧接させる制動位置（図５参照）と、ブレーキドラム１７からブレーキシュー２７を離間させる開放位置（図１参照）との間で揺動する。なお、ブレーキシュー２７は、ブレーキドラム１７の周方向へ延びており、ドラム面２５に圧接することでブレーキトルクを作用させるコルク等の摩擦材料からなる。
【００１７】
さて、本実施形態の制動手段１５は、ブレーキドラム１７表面の汚れを除去するクリーナ部３０を備える。詳細には、図３に示すように、前記揺動アーム１８の内周縁部には、湾曲帯状をなす取付部１８ｂが上方へ折り返されるようにして形成されており、取付部１８ｂにおけるドラム面２５との対向面に、クリーナ部３０が設けられている。クリーナ部３０は、ドラム面２５におけるブレーキシュー２７の摩耗粉の除去に好適な材料（例えばナイロン製のブラシ）で構成されている。なお、クリーナ部３０はフェルト等、他の材料で構成してもよい。
【００１８】
クリーナ部３０は、前記取付部１８ｂにおいて、ブレーキシュー２７よりも揺動アーム１８の基端側であって、図１に矢印で示すブレーキドラム１７の回転方向における上流となる位置に固定されている。これらクリーナ部３０及びブレーキシュー２７は、例えば接着剤により取付部１８ｂに接着固定されている。これらの部材２７，３０の固定手段は接着剤に限らず、図示しないねじを用いた螺合手段でもよい。また、図１に示すように、クリーナ部３０におけるドラム面２５側への突出寸法（厚さ寸法）Ｔｃは、ブレーキシュー２７の突出寸法Ｔｂよりも大きく設定されているものの（Ｔｃ＞Ｔｂ）、揺動アーム１８の開放位置で当該クリーナ部３０先端がドラム面２５から離間する（符号Ｇ１参照）大きさに設定されている。従って、揺動アーム１８の開放位置では、ドラム面２５からブレーキシュー２７とクリーナ部３０の双方が非接触状態となる。また、揺動アーム１８が開放位置から制動位置へ揺動する場合、ドラム面２５に対して接触するタイミングは、ブレーキシュー２７よりもクリーナ部３０が先になる。なお、図１、図４、図５から明らかなように、揺動アーム１８の揺動範囲とクリーナ部３０の寸法形状を考慮しても、ブレーキ支持板１６におけるクリーナ部３０の下側に対応する部位近傍に、前述した各穴１６ａ，１６ｂの如く板厚方向に貫通する貫通穴は存在しない。
【００１９】
ここで、図６では、ブレーキドラム１７の側方から見たクリーナ部３０とブレーキシュー２７を模式的に示しており、説明の便宜上、揺動アーム１８の図示を省略している。同図に例示するように左側のクリーナ部３０は矩形状をなし、右側のブレーキシュー２７は帯状をなしている。これらクリーナ部３０とブレーキシュー２７は、ブレーキドラム１７の周方向へ相互に離間して配置されている（符号Ｇ２参照）。また、クリーナ部３０の幅寸法Ｗｃ（上下方向の寸法）は例えば、ブレーキシュー２７の幅寸法Ｗｂよりも大きく（Ｗｃ＞Ｗｂ）、且つドラム面２５の幅寸法Ｗｄと略同じ寸法に設定されている（Ｗｃ≒Ｗｄ）。このため、クリーナ部３０は、ドラム面２５におけるブレーキシュー２７との摩擦面全域に接触させることが可能である。
【００２０】
次に、上記構成の作用について説明する。
前記脱水モータ７は、前述のように脱水籠５を高速回転させることで、脱水籠５内に収容された洗濯物を遠心脱水する。この場合、図１に示す矢印方向にブレーキドラム１７も一体的に回転しており、揺動アーム１８は、ドラム面２５からブレーキシュー２７が離間した開放位置にある。また、この場合、クリーナ部３０もドラム面２５から離間しており、脱水籠５の回転に対して、制動手段１５による制動（負荷）をかけない状態となっている。
【００２１】
ここで、前記脱水蓋が開くと、コントロールワイヤ２９によって揺動アーム１８を制動位置へ揺動させる。このとき、ドラム面２５に対して、先ずクリーナ部３０が接触し、その後ブレーキシュー２７が圧接する（図５参照）。また、この場合、ドラム面２５にブレーキシュー２７の摩耗粉が付着しても、その摩耗粉は、ドラム１７の回転方向におけるブレーキシュー２７の直ぐ上流側（図６では左側）でクリーナ部３０により除去されて、当該クリーナ部３０の下方、或いはクリーナ部３０とブレーキシュー２７との間の隙間Ｇ２から下方へ落ちる。このため、ドラム面２５にブレーキシュー２７を圧接させても、ドラム面２５表面の汚れに起因するブレーキ性能の低下やブレーキの鳴きといった不具合を起こさず、ブレーキシュー２７の安定した圧接状態を得ることができる。
【００２２】
以上説明したように、本実施形態の制動手段１５は、脱水モータ７の回転軸１１又は当該回転軸１１と脱水籠５との間に設けられたブレーキドラム１７と、脱水モータ７の回転軸１１を貫通させるように当該脱水モータ７に設けられたブレーキ支持板１６と、ブレーキドラム１７に対向するブレーキシュー２７を有し前記制動位置と前記開放位置との間で揺動するようにブレーキ支持板１６に設けられた揺動アーム１８と、ブレーキドラム１７に接触して当該ブレーキドラム１７表面の汚れを除去するクリーナ部とを備え、クリーナ部は揺動アーム１８に一体的に設けられ、揺動アーム１８の開放位置への揺動に伴いブレーキドラム１７から当該クリーナ部３０が離間するように構成されている。
【００２３】
これによれば、制動手段１５のクリーナ部３０は、ブレーキドラム１７が摩耗しない開放位置において、ブレーキドラム１７に対し非接触状態となる。このため、クリーナ部３０について、ブレーキドラム１７表面に無駄に接触させずに、制動位置でブレーキドラム１７表面に接触させてブレーキドラム１７の汚れ（ブレーキシュー２７の摩耗粉等）を除去することができる。従って、クリーナ部３０の寿命を延ばすことができるとともに、ブレーキドラム１７にブレーキシュー２７を安定して圧接させ、制動力の低下を抑制することができる。
【００２４】
前記制動手段１５は、揺動アーム１８の制動位置への揺動に伴い、ブレーキドラム１７に対しクリーナ部３０、ブレーキシュー２７の順に接触するように構成されている。これによれば、ブレーキドラム１７表面に付着した摩耗粉の除去を行うのに必要にして充分な期間、つまりブレーキドラム１７にブレーキシュー２７が圧接する期間、クリーナ部３０をブレーキドラム１７に確実に接触させることができ、摩耗粉の除去をより確実に行うことができる。
【００２５】
前記揺動アーム１８に対して、クリーナ部３０とブレーキシュー２７とがブレーキドラム１７の周方向へ相互に離間して配置されている。これによれば、クリーナ部３０とブレーキシュー２７との間において、クリーナ部３０で除去した摩耗粉がブレーキシュー２７に至る前に落ちる領域を確保することができ、クリーナ部３０による摩耗粉の除去効果を高めることができる。
【００２６】
前記ブレーキドラム１７の周方向と直交する方向を幅方向とした場合、クリーナ部３０の幅方向の寸法は、ブレーキシュー２７の幅方向の寸法よりも大きく設定されている。これによれば、ブレーキシュー２７に圧接されるブレーキドラム１７の摩擦領域に、クリーナ部３０を確実に接触させることができる。
【００２７】
前記ブレーキ支持板１６におけるクリーナ部３０の下側に対応する部位近傍に貫通穴が無い構造とした。これによれば、クリーナ部３０で除去された摩耗粉がブレーキ支持板１６上に落ちても、脱水モータ７側に侵入することを防止することができる。
【００２８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２９】
図面中、５は脱水籠、７は脱水モータ、１１は回転軸、１５は制動手段、１６はブレーキ支持板、１７はブレーキドラム、１８は揺動アーム、２７はブレーキシュー、３０はクリーナ部を示す。
【図１】
2014207932.tif 000003
【図２】
2014207932.tif 000004
【図３】
2014207932.tif 000005
【図４】
2014207932.tif 000006
【図５】
2014207932.tif 000007
【図６】
2014207932.tif 000008